(57)【要約】【課題】ＬＡＮコネクタ着脱冶具を筒状部材内に挿入する向き及び深さを把握可能とする。【解決手段】係止めレバー１１より固い材料から成る本体部４１ａと、本体部４１ａの裏面における一端に設けられ、防水ブッシュ２２に挿入されることで係止めレバー１１と嵌合部２３との間に位置可能なレバー受け部４２ａと、本体部４１ａの表面に設けられ、レバー受け部４２ａの配置箇所を示す第１目印（目印４４ａ〜４６ａ）と、上記表面に設けられ、レバー受け部４２ａが係止めレバー１１と嵌合部２３との間に位置する際での本体部４１ａの防水ブッシュ２２への挿入深さを示す第２目印（目印４５ａ）とを備えた。【選択図】図４
2018029035.tif 000002
【特許請求の範囲】
【請求項１】
ＬＡＮコネクタが有する爪折れ防止機能付きの係止めレバーより固い材料から成る本体部と、
前記本体部の裏面における一端に設けられ、前記ＬＡＮコネクタが挿入される筒状部材に挿入されることで、当該筒状部材に設けられ前記係止めレバーが嵌合する嵌合部と当該係止めレバーとの間に位置可能なレバー受け部と、
前記本体部の表面に設けられ、前記レバー受け部の配置箇所を示す第１目印と、
前記表面に設けられ、前記レバー受け部が前記嵌合部と前記係止めレバーとの間に位置する際での前記本体部の前記筒状部材への挿入深さを示す第２目印と
を備えたＬＡＮコネクタ着脱冶具。
【請求項２】
前記本体部は、円弧断面状の中空部材である
ことを特徴とする請求項１記載のＬＡＮコネクタ着脱冶具。
【請求項３】
前記本体部の一端は、前記ＬＡＮコネクタの取付けを行う際に、前記ＬＡＮコネクタにおける前記係止めレバー側とは反対側の面を支持可能な形状に構成された
ことを特徴とする請求項２記載のＬＡＮコネクタ着脱治具。
【請求項４】
前記本体部は、平板部材である
ことを特徴とする請求項１記載のＬＡＮコネクタ着脱冶具。
【請求項５】
前記第２目印は、前記本体部の側面にも設けられた
ことを特徴とする請求項４記載のＬＡＮコネクタ着脱冶具。
【請求項６】
前記本体部の裏面に設けられ、前記ＬＡＮコネクタが取付けられたＬＡＮケーブルを嵌め込み可能な溝部を有する
ことを特徴とする請求項４又は請求項５記載のＬＡＮコネクタ着脱冶具。
【発明の詳細な説明】
【技術分野】
【０００１】
この発明は、爪折れ防止機能付きの係止めレバーを有し、当該係止めレバーが筒状部材内に設けられた嵌合部に嵌合されるＬＡＮコネクタの着脱を行う際に用いられるＬＡＮコネクタ着脱冶具に関する。
【背景技術】
【０００２】
係止めレバーを有するＬＡＮコネクタは、作業者が手指で係止めレバーを押すことで、容易にハウジングから取外すことができる。しかしながら、係止めレバーが嵌合する嵌合部が例えば防水ブッシュ内に設けられている場合には、ＬＡＮコネクタをハウジングに取付けると係止めレバーが防水ブッシュ内に挿入されてしまうため、作業者が手指で係止めレバーを押すことが困難である。
【０００３】
一方、従来から、冶具を用いて係止めレバーを操作する方法が知られている（例えば特許文献１参照）。特許文献１に開示された方法では、ＬＡＮコネクタと同様の係止めレバーを有する光コネクタの着脱を対象としている。この光コネクタでは、セキュリティ上の問題から、係止めレバーを手指で簡単に操作できないように、係止めレバーがセキュリティカバーで保護されている。そのため、このセキュリティカバーを係止めレバーから取外すための冶具が用意されており、作業者は冶具を用いて係止めレバーを押すことでセキュリティカバーを取外す。
この方法をＬＡＮコネクタに適用することで、嵌合部が防水ブッシュ内に設けられている場合であっても、係止めレバーを容易に操作できる。
【先行技術文献】
【特許文献】
【０００４】
【特許文献１】特開２０１２−３７６５２号公報
【発明の概要】
【発明が解決しようとする課題】
【０００５】
しかしながら、防水ブッシュに冶具を挿入してＬＡＮコネクタの着脱を行う場合、係止めレバーを外から視認できないため、冶具をどの向きにどの深さまで挿入すればよいのか把握できないという課題があった。
【０００６】
この発明は、上記のような課題を解決するためになされたもので、爪折れ防止機能付きの係止めレバーを有し、当該係止めレバーが筒状部材内に設けられた嵌合部に嵌合されるＬＡＮコネクタの着脱を行う際に用いられるＬＡＮコネクタ着脱冶具であって、ＬＡＮコネクタ着脱冶具を筒状部材内に挿入する向き及び深さを把握できるＬＡＮコネクタ着脱冶具を提供することを目的としている。
【課題を解決するための手段】
【０００７】
この発明に係るＬＡＮコネクタ着脱冶具は、ＬＡＮコネクタが有する爪折れ防止機能付きの係止めレバーより固い材料から成る本体部と、本体部の裏面における一端に設けられ、ＬＡＮコネクタが挿入される筒状部材に挿入されることで、当該筒状部材に設けられ係止めレバーが嵌合する嵌合部と当該係止めレバーとの間に位置可能なレバー受け部と、本体部の表面に設けられ、レバー受け部の配置箇所を示す第１目印と、表面に設けられ、レバー受け部が嵌合部と係止めレバーとの間に位置する際での本体部の筒状部材への挿入深さを示す第２目印とを備えたことを特徴とする。
【発明の効果】
【０００８】
この発明によれば、上記のように構成したので、ＬＡＮコネクタ着脱冶具を筒状部材内に挿入する向き及び深さを把握できる。
【図面の簡単な説明】
【０００９】
【図１】図１Ａ、図１Ｂは、ＬＡＮコネクタの構成例を示す図であって、図１Ａは斜視図であり、図１Ｂは側面図である。
【図２】ＬＡＮコネクタが接続された装置筐体の構成例を示す斜視図である。
【図３】装置筐体が有する防水ブッシュの構成例を示す側断面図である。
【図４】図４Ａ〜図４Ｃは、この発明の実施の形態１に係るＬＡＮコネクタ着脱冶具の構成例を示す図であって、図４Ａは斜視図であり、図４Ｂは正面図であり、図４Ｃは側面図である。
【図５】この発明の実施の形態１に係るＬＡＮコネクタ着脱冶具を用いたＬＡＮコネクタの取外し動作例を説明する一部断面図である。
【図６】図６Ａ〜図６Ｃは、この発明の実施の形態１に係るＬＡＮコネクタ着脱冶具を用いたＬＡＮコネクタの取外し動作例を説明する斜視図である。
【図７】この発明の実施の形態１に係るＬＡＮコネクタ着脱冶具のＬＡＮコネクタへの取付け例を示す側面図である。
【図８】この発明の実施の形態１に係るＬＡＮコネクタ着脱冶具のＬＡＮコネクタへの取付け例を示す側面図である。
【図９】この発明の実施の形態１に係るＬＡＮコネクタ着脱冶具を用いたＬＡＮコネクタの取付け動作例を説明する斜視図である。
【図１０】図１０Ａ〜図１０Ｃは、この発明の実施の形態２に係るＬＡＮコネクタ着脱冶具の構成例を示す図であって、図１０Ａは斜視図であり、図１０Ｂは正面図であり、図１０Ｃは側面図である。
【図１１】この発明の実施の形態２に係るＬＡＮコネクタ着脱冶具のＬＡＮコネクタへの取付け例を示す側面図である。
【図１２】この発明の実施の形態２に係るＬＡＮコネクタ着脱冶具を用いたＬＡＮコネクタの取付け動作例を説明する斜視図である。
【図１３】この発明の実施の形態３に係るＬＡＮコネクタ着脱冶具の構成例を示す斜視図である。
【図１４】図１４Ａ、図１４Ｂは、この発明の実施の形態３に係るＬＡＮコネクタ着脱冶具を用いたＬＡＮコネクタの取付け動作例を説明する斜視図である。
【図１５】図１５Ａ、図１５Ｂは、この発明の実施の形態４に係るＬＡＮコネクタ着脱冶具の構成例を示す図であって、図１５Ａは表面から見た斜視図であり、図１５Ｂは裏面から見た斜視図である。
【図１６】図１６Ａ、図１６Ｂは、この発明の実施の形態４に係るＬＡＮコネクタ着脱冶具を用いたＬＡＮコネクタの取外し動作例を説明する斜視図である。
【発明を実施するための形態】
【００１０】
以下、この発明の実施の形態について図面を参照しながら詳細に説明する。
実施の形態１．
まず、ＬＡＮコネクタ１、及び当該ＬＡＮコネクタ１が着脱されるハウジング２１を有する装置筐体２について、図１〜３を参照しながら説明する。なお図３では、ハウジング２１にＬＡＮコネクタ１が取付けられた状態を示している。
ＬＡＮコネクタ１は、図１に示すように、ＬＡＮケーブル３の一端に取付けられている。このＬＡＮコネクタ１には、爪折れ防止機能を有する係止めレバー１１が設けられている。なお、ＬＡＮコネクタ１は既存のものを使用可能である。
【００１１】
装置筐体２には、図３に示すように、ＬＡＮコネクタ１が着脱されるハウジング２１が設けられている。以下では、ハウジング２１は、図２，３に示す防水ブッシュ（筒状部材）２２内に位置するものとする。
防水ブッシュ２２には、ハウジング２１に取付けられたＬＡＮコネクタ１における係止めレバー１１が嵌合する嵌合部２３が設けられている。この嵌合部２３は、係止めレバー１１が嵌合することで、ハウジング２１に取付けられたＬＡＮコネクタ１を保持する。また、防水ブッシュ２２の開口面には、ＬＡＮコネクタ１の係止め位置を示す目印２４が付されている。この目印２４は、装置筐体２の組立時等に付される。
なお、装置筐体２は、目印２４以外は既存のものと同様である。
【００１２】
次に、この発明の実施の形態１に係るＬＡＮコネクタ着脱冶具４ａの構成例について、図４を参照しながら説明する。
ＬＡＮコネクタ着脱冶具４ａは、作業者により、ＬＡＮコネクタ１をハウジング２１に対して着脱する際に用いられる冶具である。ＬＡＮコネクタ着脱冶具４ａは、図４に示すように、円弧断面状の中空部材である本体部４１ａを有している。この本体部４１ａは、例えば、中空円筒部材をＤカット加工することで構成可能である。また、本体部４１ａは、ＬＡＮコネクタ１が有する係止めレバー１１より固い材料から成る。また、本体部４１ａの径は、ＬＡＮケーブル３を収納可能な大きさに構成されている。
【００１３】
この本体部４１ａの裏面（内面）における一端には、レバー受け部４２ａが設けられている。レバー受け部４２ａは、防水ブッシュ２２に挿入されることで、係止めレバー１１と嵌合部２３との間に位置可能な部位である。
また、本体部４１ａの一端は、レバー受け部４２ａが係止めレバー１１と嵌合部２３との間に位置可能な形状に構成されている。また、この本体部４１ａの一端は、ＬＡＮコネクタ１の取付けを行う際に、ＬＡＮコネクタ１における係止めレバー１１側とは反対側の面（底面）を支持可能な形状（コネクタ支持部４３ａ）に構成されている。このコネクタ支持部４３ａは、例えば、本体部４１ａの一端に対して切欠き加工を行うことで構成可能である。
【００１４】
また、本体部４１ａの表面（外面）には、レバー受け部４２ａに対向する位置に、目印４４ａが設けられている。以下では目印４４ａとしてマークを付した場合を示すが、目印４４ａは位置が把握できるものであればよく、例えば切欠きでもよい。
【００１５】
また、本体部４１ａの表面には、レバー受け部４２ａが係止めレバー１１と嵌合部２３との間に位置する際での本体部４１ａの防水ブッシュ２２への挿入深さに相当する位置に、目印４５ａが設けられている。図４の例では、目印４５ａは、本体部４１ａの軸心に平行（略平行の意味を含む）であって目印４４ａを通るライン（図４に示す一点鎖線）上に位置している。以下では目印４５ａとして穴を設けた場合を示すが、目印４５ａは位置が把握できるものであればよく、例えばマークでもよい。
【００１６】
また、本体部４１ａの表面には、目印４５ａに対して目印４４ａとは反対側に、目印４６ａが設けられている。図４の例では、目印４６ａは、上記ライン上に位置している。以下では目印４６ａとして穴を設けた場合を示すが、目印４６ａは位置が把握できるものであればよく、例えばマークでもよい。
【００１７】
なお、目印４４ａ〜４６ａは、レバー受け部４２ａの配置箇所を示す第１目印を構成する。この第１目印は、ＬＡＮコネクタ着脱冶具４ａを防水ブッシュ２２へ挿入する向きの目安を示す。
また、目印４５ａは、レバー受け部４２ａが係止めレバー１１と嵌合部２３との間に位置する際での本体部４１ａの防水ブッシュ２２への挿入深さを示す第２目印を構成する。この第２目印は、ＬＡＮコネクタ着脱冶具４ａを防水ブッシュ２２へ挿入する深さの目安を示す。
【００１８】
次に、この発明の実施の形態１に係るＬＡＮコネクタ着脱冶具４ａを用いたＬＡＮコネクタ１の着脱動作例について、図５〜９を参照しながら説明する。
まず、ＬＡＮコネクタ１をハウジング２１から取外す場合について説明する。
ＬＡＮコネクタ１を防水ブッシュ２２の奥に位置するハウジング２１から取外す場合、図５，６Ａに示すように、まず、作業者は、ＬＡＮコネクタ着脱冶具４ａを、ＬＡＮケーブル３上の防水ブッシュ２２付近に置く。そして、作業者は、目印４４ａを目印２４に合わせるようにＬＡＮコネクタ着脱冶具４ａの向きを調整する。そして、作業者は、目印４４ａ〜４６ａを直線状に繋いだラインに沿って、ＬＡＮコネクタ着脱冶具４ａを防水ブッシュ２２に挿入する。これにより、ＬＡＮコネクタ着脱冶具４ａを、レバー受け部４２ａを防水ブッシュ２２内に位置する係止めレバー１１の向きに合わせて、挿入できる。
【００１９】
そして、図６Ｂに示すように、作業者は、目印４５ａの位置まで、ＬＡＮコネクタ着脱冶具４ａを防水ブッシュ２２に挿入する。これにより、レバー受け部４２ａを、防水ブッシュ２２内に位置する係止めレバー１１の位置まで挿入できる。その結果、レバー受け部４２ａは、係止めレバー１１を嵌合部２３から押し下げ、係止めレバー１１と嵌合部２３との嵌合（ロック）を解除する。
【００２０】
その後、図６Ｃに示すように、作業者は、ＬＡＮコネクタ着脱冶具４ａをＬＡＮケーブル３と一緒に握り、防水ブッシュ２２から引き抜く。これにより、ＬＡＮコネクタ１をハウジング２１から取外すことができる。
【００２１】
次に、ＬＡＮコネクタ１をハウジング２１に取付ける場合について説明する。
ここで、図７に示すように、係止めレバー１１上にレバー受け部４２ａを被せて、防水ブッシュ２２に挿入しようとすると、レバー受け部４２ａが係止めレバー１１を押す状態となるため、係止めレバー１１による反力でＬＡＮコネクタ１が図７に示す矢印方向に押し下げられてしまう。よって、ハウジング２１への装着が困難となる。
【００２２】
そこで、ＬＡＮコネクタ１をハウジング２１に取付ける場合には、図８に示すように、まず、作業者は、コネクタ支持部４３ａ上に、ＬＡＮコネクタ１における係止めレバー１１とは反対側の面（底面）を置く。また図８の例では、ＬＡＮコネクタ１の背面をコネクタ支持部４３ａの側面に当接させることで、ＬＡＮコネクタ着脱冶具４ａの位置決めを行うことができる。そして、図９に示すように、作業者は、係止めレバー１１を目印２４に合わせるようにＬＡＮコネクタ１の向きを調整する。そして、作業者は、ＬＡＮコネクタ着脱冶具４ａをＬＡＮケーブル３と一緒に握り、目印４５ａの位置まで防水ブッシュ２２にまっすぐ挿入する。これにより、ＬＡＮコネクタ１をハウジング２１に取付けることができる。またこの際、上記係止めレバー１１による反力は生じないため、ＬＡＮコネクタ１が押し下げられることはなく、ＬＡＮコネクタ１のハウジング２１への取付けが容易となる。
【００２３】
その後、作業者は、ＬＡＮコネクタ着脱冶具４ａのみを防水ブッシュ２２から引き抜く。
ここで、ＬＡＮコネクタ着脱冶具４ａを用いずにＬＡＮコネクタ１のハウジング２１への取付けを行うと、ＬＡＮコネクタ１を防水ブッシュ２２に挿入している際にＬＡＮケーブル３が曲がってしまい、取付けが困難となる。それに対し、ＬＡＮコネクタ着脱冶具４ａを用いることで、ＬＡＮコネクタ着脱冶具４ａによりＬＡＮケーブル３をまっすぐ支持したまま挿入でき、ＬＡＮコネクタ１のハウジング２１への取付けが容易となる。
【００２４】
以上のように、この実施の形態１によれば、係止めレバー１１より固い材料から成る本体部４１ａと、本体部４１ａの裏面における一端に設けられ、防水ブッシュ２２に挿入されることで係止めレバー１１と嵌合部２３との間に位置可能なレバー受け部４２ａと、本体部４１ａの表面に設けられ、レバー受け部４２ａの配置箇所を示す第１目印（目印４４ａ〜４６ａ）と、上記表面に設けられ、レバー受け部４２ａが係止めレバー１１と嵌合部２３との間に位置する際での本体部４１ａの防水ブッシュ２２への挿入深さを示す第２目印（目印４５ａ）とを備えたので、ＬＡＮコネクタ着脱冶具４ａを防水ブッシュ２２内に挿入する向き及び深さを把握できる。
【００２５】
なお上記では、第１目印として、目印４４ａ〜４６ａを設けた場合を示した。しかしながら、これに限らず、例えば第１目印としてラインを付してもよい。
【００２６】
実施の形態２．
実施の形態１では、ＬＡＮコネクタ着脱冶具４ａの本体部４１ａを円弧断面形状とした場合を示したが、平板形状としてもよい。以下、その構成について説明する。なお、ＬＡＮコネクタ１及び装置筐体２の構成は、実施の形態１と同様であり、その説明を省略する。
【００２７】
図１０はこの発明の実施の形態２に係るＬＡＮコネクタ着脱冶具４ｂの構成例を示す図である。
ＬＡＮコネクタ着脱冶具４ｂは、作業者により、ＬＡＮコネクタ１をハウジング２１に対して着脱する際に用いられる冶具である。ＬＡＮコネクタ着脱冶具４ｂは、図１０に示すように、平板部材である本体部４１ｂを有している。この本体部４１ｂは、ＬＡＮコネクタ１が有する係止めレバー１１より固い材料から成る。
【００２８】
この本体部４１ｂの裏面における一端には、レバー受け部４２ｂが設けられている。レバー受け部４２ｂは、防水ブッシュ２２に挿入されることで、係止めレバー１１と嵌合部２３との間に位置可能な部位（溝）である。
また、本体部４１ｂの一端は、レバー受け部４２ｂを係止めレバー１１と嵌合部２３との間に位置可能な形状に構成されている。また、この本体部４１ｂの一端は、ＬＡＮコネクタ１の取付けを行う際に、ＬＡＮコネクタ１における係止めレバー１１側とは反対側の面を支持するコネクタ支持部４３ｂとしても機能する。
【００２９】
また、本体部４１ｂの表面には、レバー受け部４２ｂに対向する位置に、目印４４ｂが設けられている。以下では目印４４ｂとしてマークを付した場合を示すが、目印４４ｂは位置が把握できるものであればよく、例えば切欠きでもよい。
【００３０】
また、本体部４１ｂの表面には、レバー受け部４２ｂが係止めレバー１１と嵌合部２３との間に位置する際での本体部４１ｂの防水ブッシュ２２への挿入深さに相当する位置に、目印４５ｂが設けられている。図１０の例では、目印４５ｂは、本体部４１ｂの軸心に平行（略平行の意味を含む）であって目印４４ｂを通るライン（図１０に示す一点鎖線）上に位置している。以下では目印４５ｂとして穴を設けた場合を示すが、目印４５ｂは位置が把握できるものであればよく、例えばマークでもよい。
【００３１】
また、本体部４１ｂの表面には、目印４５ｂに対して目印４４ｂとは反対側に、目印４６ｂが設けられている。図１０の例では、目印４６ｂは、上記ライン上に位置している。以下では目印４６ｂとして穴を設けた場合を示すが、目印４６ｂは位置が把握できるものであればよく、例えばマークでもよい。
【００３２】
なお、目印４４ｂ〜４６ｂは、レバー受け部４２ｂの配置箇所を示す第１目印を構成する。この第１目印は、ＬＡＮコネクタ着脱冶具４ｂを防水ブッシュ２２へ挿入する向きの目安を示す。
また、目印４５ｂは、レバー受け部４２ｂが係止めレバー１１と嵌合部２３との間に位置する際での本体部４１ｂの防水ブッシュ２２への挿入深さを示す第２目印を構成する。この第２目印は、ＬＡＮコネクタ着脱冶具４ｂを防水ブッシュ２２へ挿入する深さの目安を示す。
【００３３】
なお、実施の形態２に係るＬＡＮコネクタ着脱冶具４ｂを用いたＬＡＮコネクタ１の着脱動作は実施の形態１と同様であり、その説明を省略する（図１１，１２参照）。
このように本体部４１ｂを平板形状とすることで、実施の形態１における効果に加え、加工性が向上し且つ安価となる。また、単一のＬＡＮコネクタ着脱冶具４ｂで、あらゆる径のＬＡＮケーブル３に適用可能となる。
【００３４】
なお上記では、第１目印として、目印４４ｂ〜４６ｂを設けた場合を示した。しかしながら、これに限らず、第１目印としてラインを付してもよい。
【００３５】
実施の形態３．
実施の形態２に係るＬＡＮコネクタ着脱冶具４ｂでは、第２目印として、本体部４１ｂの表面に目印４５ｂを設けた場合を示した。これに対して、例えば図１３に示すように、第２目印として、目印４５ｂに加え、本体部４１ｂの側面に目印４７ｂを設けてもよい。
【００３６】
目印４７ｂは、本体部４１ｂの側面であって、目印４５ｂと対向する位置に設けられる。図１３の例では、本体部４１ｂの両側面に目印４７ｂを設けた場合を示している。以下では目印４７ｂとして切欠きを設けた場合を示すが、目印４７ｂは位置が把握できるものであればよく、例えばマークでもよい。
【００３７】
このように、本体部４１ｂの側面に目印４７ｂを設けることで、実施の形態２における効果に加え、図１４に示すように、ＬＡＮコネクタ着脱冶具４ｂを用いてＬＡＮコネクタ１をハウジング２１に取付ける場合に、ＬＡＮケーブル３によって目印４５ｂが視認し難くても、目印４７ｂを視認でき、ＬＡＮコネクタ１の取付けが容易となる。
【００３８】
実施の形態４．
実施の形態２，３では、本体部４１ｂの裏面におけるコネクタ支持部４３ｂ以外の部位を平面状とした場合を示した。しかしながら、例えば図１５に示すように、本体部４１ｂの裏面に溝部４８ｂを設けてもよい。なお図１５では、実施の形態３に係るＬＡＮコネクタ着脱冶具４ｂに対して溝部４８ｂを設けた場合を示しているが、実施の形態２に係るＬＡＮコネクタ着脱冶具４ｂに対して溝部４８ｂを設けてもよい。
【００３９】
溝部４８ｂは、本体部４１ｂの裏面に、ＬＡＮコネクタ着脱冶具４ｂの挿抜方向に沿って設けられ、ＬＡＮケーブル３を嵌め込み可能な部位である。図１５の例では、レバー受け部４２ｂと溝部４８ｂとが一体化された場合を示している。
【００４０】
このように、本体部４１ｂに溝部４８ｂを設けることで、実施の形態２，３における効果に加え、ＬＡＮコネクタ１をハウジング２１に対して着脱する際に、図１６に示すように、ＬＡＮケーブル３が溝部４８ｂに嵌り、ＬＡＮコネクタ着脱冶具４ｂとＬＡＮケーブル３との間のずれが生じ難くなる。
【００４１】
なお上記では、ＬＡＮコネクタ１が防水ブッシュ２２内のハウジング２１に着脱される場合を示したが、防水ブッシュ２２に限らず、その他の筒状部材であってもよい。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  ＬＡＮコネクタ、２  装置筐体、３  ＬＡＮケーブル、４ａ，４ｂ  ＬＡＮコネクタ着脱冶具、１１  係止めレバー、２１  ハウジング、２２  防水ブッシュ（筒状部材）、２３  嵌合部、２４  目印、４１ａ，４１ｂ  本体部、４２ａ，４２ｂ  レバー受け部、４３ａ，４３ｂ  コネクタ支持部、４４ａ，４４ｂ  目印（第１目印）、４５ａ，４５ｂ  目印（第１目印、第２目印）、４６ａ，４６ｂ  目印（第１目印）、４７ｂ  目印（第２目印）、４８ｂ  溝部。
【図１】
2018029035.tif 000003
【図２】
2018029035.tif 000004
【図３】
2018029035.tif 000005
【図４】
2018029035.tif 000006
【図５】
2018029035.tif 000007
【図６】
2018029035.tif 000008
【図７】
2018029035.tif 000009
【図８】
2018029035.tif 000010
【図９】
2018029035.tif 000011
【図１０】
2018029035.tif 000012
【図１１】
2018029035.tif 000013
【図１２】
2018029035.tif 000014
【図１３】
2018029035.tif 000015
【図１４】
2018029035.tif 000016
【図１５】
2018029035.tif 000017
【図１６】
2018029035.tif 000018